【事件の表示】
　特許第３１０２３０４号「水性インク及びインクジェット記録方法」の請求項１ないし６に係る特許に対する特許異議の申立てについて、次のとおり決定する。
【結　論】
　訂正を認める。
　特許第３１０２３０４号の請求項１ないし４に係る特許を維持する。
【理　由】
１．手続の経緯
　
　特許第３１０２３０４号の請求項１〜６に係る発明の出願は、平成７年６月２９日に特許出願され、平成１２年８月２５日にその特許権の設定登録がなされ、その後、コニカ株式会社、北村二郎より特許異議の申立てがなされ、取消しの理由が通知され、その指定期間内である平成１４年５月１０日に訂正請求がなされたものである。
　
２．訂正の適否についての判断
　
（１）訂正の内容
　
　特許権者が求めている訂正の内容は、以下の、ａ〜ｌのとおりである。
　
訂正事項ａ
　特許請求の範囲の請求項１の「顔料を着色剤として含有する水性インクにおいて、２０℃における蒸気圧が０．１ｍｍＨｇ以下の多価アルコールモノアルキルエーテルを５〜１５重量％含み、且つ、多価アルコールを５〜５０重量％含むことを特徴とする水性インク。」を「顔料を着色剤として含有する水性インクにおいて、２０℃における蒸気圧が０．０１ｍｍＨｇ未満の多価アルコールモノブチルエーテルを５〜１５重量％含み、且つ、多価アルコールを５〜５０重量％含むことを特徴とする水性インク。」に訂正する。
訂正事項ｂ
　特許請求の範囲の請求項２を削除する。
訂正事項ｃ
　特許請求の範囲の請求項３について、請求項番号を２とするとともに、「前記インク中に含まれる多価アルコールモノアルキルエーテルが、トリエチレングリコールモノアルキルエーテルと、トリプロピレングリコールモノアルキルエーテルから選ばれることを特徴とする請求項１または２記載の水性インク。」を「前記インク中に含まれる多価アルコールモノブチルエーテルが、トリエチレングリコールモノブチルエーテルと、トリプロピレングリコールモノブチルエーテルから選ばれることを特徴とする請求項１記載の水性インク。」に訂正する。
訂正事項ｄ
　特許請求の範囲の請求項４について、請求項番号を３とするとともに、「顔料を着色剤として含有する水性インクを記録液として用いるインクジェット記録方法において、２０℃における蒸気圧が０．１ｍｍＨｇ以下の多価アルコールモノアルキルエーテルを５〜１５重量％含み、且つ、多価アルコールを５〜５０重量％含む前記水性インクを噴射して被記録材に記録を行なうことを特徴とするインクジェット記録方法。」を「顔料を着色剤として含有する水性インクを記録液として用いるインクジェット記録方法において、２０℃における蒸気圧が０．０１ｍｍＨｇ未満の多価アルコールモノブチルエーテルを５〜１５重量％含み、且つ、多価アルコールを５〜５０重量％含む前記水性インクを噴射して被記録材に記録を行なうことを特徴とするインクジェット記録方法。」に訂正する。
訂正事項ｅ
　特許請求の範囲の請求項５を削除する。
訂正事項ｆ
　特許請求の範囲の請求項６について、請求項番号を４とするとともに、「前記水性インク中に含まれる多価アルコールモノアルキルエーテルが、トリエチレングリコールモノアルキルエーテルと、トリプロピレングリコールモノアルキルエーテルから選ばれることを特徴とする請求項４または５記載のインクジェット記録方法。」を「前記水性インク中に含まれる多価アルコールモノブチルエーテルが、トリエチレングリコールモノブチルエーテルと、トリプロピレングリコールモノブチルエーテルから選ばれることを特徴とする請求項３記載のインクジェット記録方法。」に訂正する。
訂正事項ｇ
　特許明細書の段落【０００８】の「この目的を達成するために本発明の請求項１の水性インクでは、顔料を着色剤として含有する水性インクにおいて、２０℃における蒸気圧が０．１ｍｍＨｇ以下の多価アルコールモノアルキルエーテルを５〜１５重量％含み、且つ、多価アルコールを５〜５０重量％含むことを特徴とする。」を「この目的を達成するために本発明の請求項１の水性インクでは、顔料を着色剤として含有する水性インクにおいて、２０℃における蒸気圧が０．０１ｍｍＨｇ未満の多価アルコールモノブチルエーテルを５〜１５重量％含み、且つ、多価アルコールを５〜５０重量％含むことを特徴とする。」に訂正する。
訂正事項ｈ
　特許明細書の段落【０００９】の「また、請求項２は、前記インク中に含まれる多価アルコールモノアルキルエーテルの２０℃における蒸気圧が０．０１ｍｍＨｇ未満であることを特徴とする。また、請求項３は、前記インク中に含まれる多価アルコールモノアルキルエーテルが、トリエチレングリコールモノアルキルエーテルと、トリプロピレングリコールモノアルキルエーテルから選ばれることを特徴とする。」を「また、請求項２は、前記インク中に含まれる多価アルコールモノブチルエーテルが、トリエチレングリコールモノブチルエーテルと、トリプロピレングリコールモノブチルエーテルから選ばれることを特徴とする。」に訂正する。
訂正事項ｉ
　特許明細書の段落【００１０】の「さらに、この目的を達成するために本発明の請求項４では、顔料を着色剤として含有する水性インクを記録液として用いるインクジェット記録方法において、２０℃における蒸気圧が０．１ｍｍＨｇ以下の多価アルコールモノアルキルエーテルを５〜１５重量％含み、且つ、多価アルコールを５〜５０重量％含む前記水性インクを噴射して被記録材に記録を行なうことを特徴としている。」を「さらに、この目的を達成するために本発明の請求項３では、顔料を着色剤として含有する水性インクを記録液として用いるインクジェット記録方法において、２０℃における蒸気圧が０．０１ｍｍＨｇ未満の多価アルコールモノブチルエーテルを５〜１５重量％含み、且つ、多価アルコールを５〜５０重量％含む前記水性インクを噴射して被記録材に記録を行なうことを特徴としている。」に訂正する。
訂正事項ｊ
　特許明細書の段落【００１１】の記載を削除する。
訂正事項ｋ
　特許明細書の段落【００１２】の「また、請求項６は、前記インクジェット記録方法において、前記水性インク中に含まれる多価アルコールモノアルキルエーテルが、トリエチレングリコールモノアルキルエーテルと、トリプロピレングリコールモノアルキルエーテルから選ばれることを特徴とする。」を「また、請求項４は、前記インクジェット記録方法において、前記水性インク中に含まれる多価アルコールモノブチルエーテルが、トリエチレングリコールモノブチルエーテルと、トリプロピレングリコールモノブチルエーテルから選ばれることを特徴とする。」に訂正する。
訂正事項ｌ
　特許明細書の段落【００７０】の「以上説明したことから明かなように本発明によれば、水性インクは、２０℃における蒸気圧が０．１ｍｍＨｇ以下の多価アルコールモノアルキルエーテルを５〜１５重量％含み、且つ、多価アルコールを５〜５０重量％含むことを特徴としており、また、好ましくは前記インク中に含まれる多価アルコールモノアルキルエーテルの２０℃における蒸気圧が０．０１ｍｍＨｇ未満であることを特徴としているため、インクジェット記録方式における記録特性（信号応答性、液滴形成の安定性、吐出安定性、長時間の連続記録性、長時間の動作休止後のインク吐出安定性）、液安定性、保存安定性、被記録材への定着性、速乾性、印字品質特性、低臭気性等いずれもバランスのとれた優れたものであり、各種の方式のインクジェット記録用のインクとして有用であり、優れた記録を与えることができる。」を「以上説明したことから明かなように本発明によれば、水性インクは、２０℃における蒸気圧が０．０１ｍｍＨｇ未満の多価アルコールモノブチルエーテルを５〜１５重量％含み、且つ、多価アルコールを５〜５０重量％含むことを特徴としているため、インクジェット記録方式における記録特性（信号応答性、液滴形成の安定性、吐出安定性、長時間の連続記録性、長時間の動作休止後のインク吐出安定性）、液安定性、保存安定性、被記録材への定着性、速乾性、印字品質特性、低臭気性等いずれもバランスのとれた優れたものであり、各種の方式のインクジェット記録用のインクとして有用であり、優れた記録を与えることができる。」に訂正する。
　
（２）訂正の目的の適否、新規事項の有無及び拡張・変更の存否
　
　上記訂正事項ａは、「蒸気圧が０．１ｍｍＨｇ以下の多価アルコールモノアルキルエーテル」を「蒸気圧が０．０１ｍｍＨｇ未満の多価アルコールモノブチルエーテル」に訂正したものであって、エーテルに関し、蒸気圧及びアルキル基の種類を限定したものであるから、特許請求の範囲の減縮を目的とした明細書の訂正に該当する。
　上記訂正事項ｂ，ｅは請求項の削除であるから、特許請求の範囲の減縮を目的とした明細書の訂正に該当する。
　上記訂正事項ｃのうち、請求項番号の繰り上げは、訂正事項ｂの請求項の削除にともなう明りょうでない記載の釈明に該当し、「アルキル」を「ブチル」とする訂正は、アルキル基の種類を限定したものであるから、特許請求の範囲の減縮を目的とした明細書の訂正に該当する。
　上記訂正事項ｄのうち、請求項番号の繰り上げは、訂正事項ｂの請求項の削除にともなう明りょうでない記載の釈明に該当し、「蒸気圧が０．１ｍｍＨｇ以下の多価アルコールモノアルキルエーテル」から「蒸気圧が０．０１ｍｍＨｇ未満の多価アルコールモノブチルエーテル」への訂正は、上記訂正事項ａの項で述べたとおり、特許請求の範囲の減縮を目的とした明細書の訂正に該当する。
　上記訂正事項ｆのうち、請求項番号の繰り上げは、訂正事項ｂ及び訂正事項ｅの請求項の削除にともなう明りょうでない記載の釈明に該当し、「アルキル」を「ブチル」とする訂正は、上記訂正事項ｃの項で述べたとおり、特許請求の範囲の減縮を目的とした明細書の訂正に該当する。
　上記訂正事項ｇ〜ｌは、特許請求の範囲の訂正に伴い、特許請求の範囲の記載と発明の詳細な説明の記載との整合性を図るために、明りょうでない記載の釈明を目的とする明細書の訂正に該当する。
　
　そして、上記各訂正は、いずれも新規事項の追加に該当せず、また、実質上特許請求の範囲を拡張し又は変更するものではない。　
　
（３）むすび
　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立てについての判断
　
（１）申立ての理由の概要
　
　特許異議申立人北村二郎は、甲第１号証（特開昭５６−１４７８６１号公報）を提出し、本件の訂正前の請求項１〜６に係る発明は、甲第１号証に記載された発明であるから、特許法第２９条第１項第３号に該当し特許を受けることができず、また、同請求項１〜６に係る発明は、甲第１号証に記載された発明に基いて当業者が容易に発明をすることができたものであるから、特許法第２９条第２項の規定により特許を受けることができず、したがって、本件の訂正前の請求項１〜６に係る発明についての特許は取り消されるべきである旨、主張している。
　特許異議申立人コニカ株式会社は、甲第１号証（特開平７−８２５１６号公報）及び甲第２号証（特開平７−９０２０８号公報）を提出し、本件の訂正前の請求項１，４に係る発明は甲第１号証に記載された発明であり、同請求項３，６に係る発明は甲第２号証に記載された発明であるから、特許法第２９条第１項第３号に該当し特許を受けることができず、また、同請求項２，５に係る発明は、甲第２号証に記載された発明に基いて当業者が容易に発明をすることができたものであるから、特許法第２９条第２項の規定により特許を受けることができず、したがって、本件の訂正前の請求項１〜６に係る発明についての特許は取り消されるべきである旨、主張している。
　
（２）本件の請求項に係る発明
　　
　２．（３）に示したように上記訂正が認められるから、本件の請求項１〜４に係る発明（以下、「本件発明１〜４」という。）は、上記訂正請求に係る訂正明細書の特許請求の範囲の請求項１〜４に記載された次のとおりのものである。
　
「【請求項１】顔料を着色剤として含有する水性インクにおいて、２０℃における蒸気圧が０．０１ｍｍＨｇ未満の多価アルコールモノブチルエーテルを５〜１５重量％含み、且つ、多価アルコールを５〜５０重量％含むことを特徴とする水性インク。
　【請求項２】前記インク中に含まれる多価アルコールモノブチルエーテルが、トリエチレングリコールモノブチルエーテルと、トリプロピレングリコールモノブチルエーテルから選ばれることを特徴とする請求項１記載の水性インク。
　【請求項３】顔料を着色剤として含有する水性インクを記録液として用いるインクジェット記録方法において、２０℃における蒸気圧が０．０１ｍｍＨｇ未満の多価アルコールモノブチルエーテルを５〜１５重量％含み、且つ、多価アルコールを５〜５０重量％含む前記水性インクを噴射して被記録材に記録を行なうことを特徴とするインクジェット記録方法。
　【請求項４】前記水性インク中に含まれる多価アルコールモノブチルエーテルが、トリエチレングリコールモノブチルエーテルと、トリプロピレングリコールモノブチルエーテルから選ばれることを特徴とする請求項３記載のインクジェット記録方法。」
　
（３）刊行物に記載された発明
　
　刊行物１（特開昭５６−１４７８６１号公報：特許異議申立人北村二郎の提出した甲第１号証）には、「少なくとも顔料、高分子分散剤及び水性媒体からなる記録液に於いて、トリエチレングリコールモノメチルエーテルを記録液全重量に対して１〜８０重量％含有することを特徴とする記録液。」（特許請求の範囲の請求項１）が記載され、上記水性媒体として、「本発明の記録液に使用される水性媒体成分としては、水或いは水と水溶性有機溶剤が挙げられる。・・・これらの多くの溶剤の中でも、・・・好ましくは多価アルコール類、或いは多価アルコールのアルキルエーテル類、より好ましくはジエチレングリコール等の多価アルコール類が挙げられる。」（第６頁左上欄６行〜同頁左下欄２行）こと、そして、「この様にして、調製した記録液は、・・・の諸特性を備えている。」（第７頁左上欄１１行〜同頁右上欄１２行）とその効果が記載されている。
　刊行物２（特開平７−８２５１６号公報：特許異議申立人コニカ株式会社の提出した甲第１号証）には、「水と顔料とコロイダルディスパージョン型樹脂と揮発性アルカリ成分と水溶性有機溶剤とを含有してなる、中間転写型インクジェット記録用インク組成物。」（特許請求の範囲の請求項１）が記載され、その実施例Ｄ５は、実施例Ｄ２のグリセリンをジエチレングリコールモノブチルエーテルに置き換えた例であるから、「顔料であるＣ．Ｉ．ピグメント　レッド５７：１、ジエチレングリコールモノブチルエーテルを７．５％、ジプロピレングリコールを７．５％」含有するインクが記載されている。
　刊行物３（特開平７−９０２０８号公報：特許異議申立人コニカ株式会社の提出した甲第２号証）には、「少なくとも水、水溶性有機溶剤、顔料分散体からなる水性顔料インクにおいて、該インク中にポリイソシアナートのアミノアルコール付加化合物を含有することを特徴とする水性顔料インク。」（特許請求の範囲の請求項１）が記載され、その実施例７には、「顔料とともに、トリエチレングリコールモノエチルエーテル、１，２，５−ブタントリオールを含有する水性顔料インク」が記載され、「本発明の記録液は印字濃度、擦過性において優れ、同時に印字休止後の回復性も良い」（段落【００５４】）ことがわかる。
　
（４）対比・判断
　
（ｉ）特許法第２９条第１項第３号について
　
　上記したように、刊行物１〜３には、「顔料とともに、多価アルコールモノアルキルエーテルと多価アルコールを含む水性インク」が記載されているが、本件発明１〜４の構成要件である「２０℃における蒸気圧が０．０１ｍｍＨｇ未満の多価アルコールモノブチルエーテル」は記載されていない。
　即ち、刊行物１，３には、多価アルコールモノブチルエーテルは記載されておらず、刊行物２には多価アルコールモノブチルエーテルであるジエチレングリコールモノブチルエーテルが記載されているが、このエーテルは、本件特許明細書の段落【００２７】の記載によれば、その２０℃での蒸気圧は０．０１ｍｍＨｇであって、該蒸気圧を０．０１ｍｍＨｇ未満と規定している本件発明の多価アルコールモノブチルエーテルとは相違するものである。
　したがって、本件発明１〜４は、いずれも、刊行物１〜３に記載された発明ではない。
　
（ii）特許法第２９条第２項について
　
　刊行物１〜３には、顔料を含有する水性インクにおいて、多価アルコールモノブチルエーテルが適することも、２０℃での蒸気圧が０．０１ｍｍＨｇ未満のエーテルが好ましいことも、記載も示唆もされていない。したがって、刊行物１〜３の記載を合わせ考慮しても、「２０℃での蒸気圧が０．０１ｍｍＨｇ未満の多価アルコールモノブチルエーテル」を導くことはできない。
　そして、本件発明１〜４は、この点により、インクジェット記録方式における記録特性、液安定性、保存安定性、被記録材への定着性、速乾性、印字品質特性、低臭気性等、いずれもバランスのとれた優れたものになる（平成１４年５月１０日付け訂正明細書段落【００７０】）、という明細書記載の作用効果を奏するものである。
　したがって、本件発明１〜４は、刊行物１〜３に記載された発明に基いて当業者が容易に発明をすることができたものではない。
　
４．むすび
　
　以上のとおりであるから、特許異議申立ての理由及び証拠によっては、本件発明１〜４についての特許を取り消すことはできない。
　また、他に本件発明１〜４についての特許を取り消すべき理由を発見しない。
　よって、結論のとおり決定する。
【異議決定日】
平成１４年５月２７日（２００２．５．２７）
【訂正の要旨】
訂正の要旨
訂正事項ａ
　特許請求の範囲の請求項１の「顔料を着色剤として含有する水性インクにおいて、２０℃における蒸気圧が０．１ｍｍＨｇ以下の多価アルコールモノアルキルエーテルを５〜１５重量％含み、且つ、多価アルコールを５〜５０重量％含むことを特徴とする水性インク。」を「顔料を着色剤として含有する水性インクにおいて、２０℃における蒸気圧が０．０１ｍｍＨｇ未満の多価アルコールモノブチルエーテルを５〜１５重量％含み、且つ、多価アルコールを５〜５０重量％含むことを特徴とする水性インク。」に訂正する。
訂正事項ｂ
　特許請求の範囲の請求項２を削除する。
訂正事項ｃ
　特許請求の範囲の請求項３について、請求項番号を２とするとともに、「前記インク中に含まれる多価アルコールモノアルキルエーテルが、トリエチレングリコールモノアルキルエーテルと、トリプロピレングリコールモノアルキルエーテルから選ばれることを特徴とする請求項１または２記載の水性インク。」を「前記インク中に含まれる多価アルコールモノブチルエーテルが、トリエチレングリコールモノブチルエーテルと、トリプロピレングリコールモノブチルエーテルから選ばれることを特徴とする請求項１記載の水性インク。」に訂正する。
訂正事項ｄ
　特許請求の範囲の請求項４について、請求項番号を３とするとともに、「顔料を着色剤として含有する水性インクを記録液として用いるインクジェット記録方法において、２０℃における蒸気圧が０．１ｍｍＨｇ以下の多価アルコールモノアルキルエーテルを５〜１５重量％含み、且つ、多価アルコールを５〜５０重量％含む前記水性インクを噴射して被記録材に記録を行なうことを特徴とするインクジェット記録方法。」を「顔料を着色剤として含有する水性インクを記録液として用いるインクジェット記録方法において、２０℃における蒸気圧が０．０１ｍｍＨｇ未満の多価アルコールモノブチルエーテルを５〜１５重量％含み、且つ、多価アルコールを５〜５０重量％含む前記水性インクを噴射して被記録材に記録を行なうことを特徴とするインクジェット記録方法。」に訂正する。
訂正事項ｅ
　特許請求の範囲の請求項５を削除する。
訂正事項ｆ
　特許請求の範囲の請求項６について、請求項番号を４とするとともに、「前記水性インク中に含まれる多価アルコールモノアルキルエーテルが、トリエチレングリコールモノアルキルエーテルと、トリプロピレングリコールモノアルキルエーテルから選ばれることを特徴とする請求項４または５記載のインクジェット記録方法。」を「前記水性インク中に含まれる多価アルコールモノブチルエーテルが、トリエチレングリコールモノブチルエーテルと、トリプロピレングリコールモノブチルエーテルから選ばれることを特徴とする請求項３記載のインクジェット記録方法。」に訂正する。
訂正事項ｇ
　特許明細書の段落【０００８】の「この目的を達成するために本発明の請求項１の水性インクでは、顔料を着色剤として含有する水性インクにおいて、２０℃における蒸気圧が０．１ｍｍＨｇ以下の多価アルコールモノアルキルエーテルを５〜１５重量％含み、且つ、多価アルコールを５〜５０重量％含むことを特徴とする。」を「この目的を達成するために本発明の請求項１の水性インクでは、顔料を着色剤として含有する水性インクにおいて、２０℃における蒸気圧が０．０１ｍｍＨｇ未満の多価アルコールモノブチルエーテルを５〜１５重量％含み、且つ、多価アルコールを５〜５０重量％含むことを特徴とする。」に訂正する。
訂正事項ｈ
　特許明細書の段落【０００９】の「また、請求項２は、前記インク中に含まれる多価アルコールモノアルキルエーテルの２０℃における蒸気圧が０．０１ｍｍＨｇ未満であることを特徴とする。また、請求項３は、前記インク中に含まれる多価アルコールモノアルキルエーテルが、トリエチレングリコールモノアルキルエーテルと、トリプロピレングリコールモノアルキルエーテルから選ばれることを特徴とする。」を「また、請求項２は、前記インク中に含まれる多価アルコールモノブチルエーテルが、トリエチレングリコールモノブチルエーテルと、トリプロピレングリコールモノブチルエーテルから選ばれることを特徴とする。」に訂正する。
訂正事項ｉ
　特許明細書の段落【００１０】の「さらに、この目的を達成するために本発明の請求項４では、顔料を着色剤として含有する水性インクを記録液として用いるインクジェット記録方法において、２０℃における蒸気圧が０．１ｍｍＨｇ以下の多価アルコールモノアルキルエーテルを５〜１５重量％含み、且つ、多価アルコールを５〜５０重量％含む前記水性インクを噴射して被記録材に記録を行なうことを特徴としている。」を「さらに、この目的を達成するために本発明の請求項３では、顔料を着色剤として含有する水性インクを記録液として用いるインクジェット記録方法において、２０℃における蒸気圧が０．０１ｍｍＨｇ未満の多価アルコールモノブチルエーテルを５〜１５重量％含み、且つ、多価アルコールを５〜５０重量％含む前記水性インクを噴射して被記録材に記録を行なうことを特徴としている。」に訂正する。
訂正事項ｊ
　特許明細書の段落【００１１】の記載を削除する。
訂正事項ｋ
　特許明細書の段落【００１２】の「また、請求項６は、前記インクジェット記録方法において、前記水性インク中に含まれる多価アルコールモノアルキルエーテルが、トリエチレングリコールモノアルキルエーテルと、トリプロピレングリコールモノアルキルエーテルから選ばれることを特徴とする。」を「また、請求項４は、前記インクジェット記録方法において、前記水性インク中に含まれる多価アルコールモノブチルエーテルが、トリエチレングリコールモノブチルエーテルと、トリプロピレングリコールモノブチルエーテルから選ばれることを特徴とする。」に訂正する。
訂正事項ｌ
　特許明細書の段落【００７０】の「以上説明したことから明かなように本発明によれば、水性インクは、２０℃における蒸気圧が０．１ｍｍＨｇ以下の多価アルコールモノアルキルエーテルを５〜１５重量％含み、且つ、多価アルコールを５〜５０重量％含むことを特徴としており、また、好ましくは前記インク中に含まれる多価アルコールモノアルキルエーテルの２０℃における蒸気圧が０、０１ｍｍＨｇ未満であることを特徴としているため、インクジェット記録方式における記録特性（信号応答性、液滴形成の安定性、吐出安定性、長時間の連続記録性、長時間の動作休止後のインク吐出安定性）、液安定性、保存安定性、被記録材への定着性、速乾性、印字品質特性、低臭気性等いずれもバランスのとれた優れたものであり、各種の方式のインクジェット記録用のインクとして有用であり、優れた記録を与えることができる。」を「以上説明したことから明かなように本発明によれば、水性インクは、２０℃における蒸気圧が０．０１ｍｍＨｇ未満の多価アルコールモノブチルエーテルを５〜１５重量％含み、且つ、多価アルコールを５〜５０重量％含むことを特徴としているため、インクジェット記録方式における記録特性（信号応答性、液滴形成の安定性、吐出安定性、長時間の連続記録性、長時間の動作休止後のインク吐出安定性）、液安定性、保存安定性、被記録材への定着性、速乾性、印字品質特性、低臭気性等いずれもバランスのとれた優れたものであり、各種の方式のインクジェット記録用のインクとして有用であり、優れた記録を与えることができる。」に訂正する。
（５４）【発明の名称】
水性インク及びインクジェット記録方法
（５７）【特許請求の範囲】
　【請求項１】　顔料を着色剤として含有する水性インクにおいて、２０℃における蒸気圧が
０．０１ｍｍＨｇ未満
ブチル
　【請求項２】　前記インク中に含まれる多価アルコールモノ
ブチル
ブチル
ブチル
１記載の
　【請求項３】　顔料を着色剤として含有する水性インクを記録液として用いるインクジェット記録方法において、２０℃における蒸気圧が
０．０１ｍｍＨｇ未満
ブチル
　【請求項４】　前記水性インク中に含まれる多価アルコールモノ
ブチル
ブチル
ブチル
３記載の
【発明の詳細な説明】
　【０００１】
　【産業上の利用分野】
　本発明は、水性インクの改良に関する。
　【０００２】
　【従来の技術】
　従来、インクジェット記録方式は、静電吸引方式、圧電素子を用いてインクに機械的振動または変位を与える方式、インクを加熱させることにより気泡を発生させ、その時の圧力を利用する方法等のインク吐出方式が知られている。これらの吐出方式によりインク小滴を形成し、それらの一部もしくは全部を紙等の被記録材に付着させて記録を行うものである。また、万年筆、フエルトペン、ボールペン等の筆記具を用いる場合には、周知のように毛細管からインクを吐出して、それを被記録材に受容させて記録を行う。このようなインクジェット記録方式または筆記具に使用するインクとしては、各種の水溶性染料または顔料を、水または水と水溶性有機溶剤からなる液媒体に溶解または分散させたものが知られ、使用されている。
　【０００３】
　【発明が解決しようとする課題】
　上記のような従来のインクにおいては種々の性能が要求されるのは当然であるが、中でも特に要求される性能は、インクを用いて記録を行っている際、記録を中断した際、さらに長期間記録を行わなかった際における記録装置のノズル、オリフィスまたはペン先での目詰まり及び沈殿物の発生がなく、安定した吐出が可能であるという記録特性、液安定性と、印字物がすばやく乾燥し、指等で擦っても滲まないという速乾性と、印字した文字や罫線等に髭状の滲み（フェザリング）がなく、異なった色同士が隣接する部分での色の混ざり合い（ブリーディング）がないという印字品質特性と、インク自体に臭気が少ないという低臭気性である。
　【０００４】
　従来より上記の問題を解決しようとする試みがなされてきている。
　【０００５】
　例えば、特公昭６２−２１０３３号公報では、主成分として（モノ、ジ、トリ）エチレングリコールアルキルエーテル類、及びまたは（モノ、ジ、トリ）エチレングリコールアルキルエーテルアセテート類から選ばれた多価アルコール誘導体、アルコールアミン、水溶性染料、及び水を含有するインクが開示されている。
　【０００６】
　しかしながら、前記従来例を含めて、従来のインクは、液安定性、速乾性、印字品質特性、安全性、低臭気性のすべてを満足するものではなかった。
　【０００７】
　本発明は、上述した問題点を解決するためになされたものであり、液安定性、速乾性、印字品質特性、低臭気性を同時に満足するインク及びインクジェット記録方法を提供することを目的としている。
　【０００８】
　【課題を解決するための手段】
　この目的を達成するために本発明の請求項１の水性インクでは、顔料を着色剤として含有する水性インクにおいて、２０℃における蒸気圧が
０．０１ｍｍＨｇ未満
ブチル
　【０００９】
　また、請求項２は、前記インク中に含まれる多価アルコールモノ
ブチル
ブチル
ブチル
　【００１０】
　さらに、この目的を達成するために本発明の
請求項３
０．０１ｍｍＨｇ未満
ブチル
　【００１１】
　【００１２】
　また、
請求項４
ブチル
ブチル
ブチル
　【００１３】
　【作用】
　本発明をさらに詳細に説明する。
　【００１４】
　本発明に用いるインクの構成成分である染料としては、直接染料、酸性染料、塩基性染料、反応性染料等に代表される水溶性染料が用いられ、特にインクジェット記録方式のインクとして好適で、鮮明性、水溶性、安定性、耐光性その他の要求される性能を満たすものとしては、例えばＣ．Ｉ．ダイレクトブラック１７、１９、３２、５１、７１、１０８、１４６、１５４、１６８；Ｃ．Ｉ．ダイレクトブルー６、２２、２５、７１、８６、９０、１０６、１９９；Ｃ．Ｉ．ダイレクトレッド１、４、１７、２８、８３、２２７；Ｃ．Ｉ．ダイレクトイエロー１２、２４、２６、８６、９８、１３２、１４２；Ｃ．Ｉ．ダイレクトオレンジ３４、３９、４４、４６、６０；Ｃ．Ｉ．ダイレクトバイオレット４７、４８；Ｃ．Ｉ．ダイレクトブラウン１０９；Ｃ．Ｉ．ダイレクトグリーン５９；Ｃ．Ｉ．アシッドブラック２、７、２４、２６、３１、５２、６３、１１２、１１８；Ｃ．Ｉ．アシッドブルー９、２２、４０、５９、９３、１０２、１０４、１１３、１１７、１２０、１６７、２２９、２３４；Ｃ．Ｉ．アシッドレッド１、６、３２、３７、５１、５２、８０、８５、８７、９２、９４、１１５、１８１、２５６、２８９、３１５、３１７；Ｃ．Ｉ．アシッドイエロー１１、１７、２３、２５、２９、４２、６１、７１；Ｃ．Ｉ．アシッドオレンジ７、１９；Ｃ．Ｉ．アシッドバイオレット４９；Ｃ．Ｉ．ベーシックブラック２；Ｃ．Ｉ．ベーシックブルー１、３、５、７、９、２４、２５、２６、２８、２９；Ｃ．Ｉ．ベーシックレッド１、２、９、１２、１３、１４、３７；Ｃ．Ｉ．べーシックバイオレット７、１４、２７；Ｃ．Ｉ．フードブラック１、２等が挙げられる。
　【００１５】
　上記の染料例は、本発明のインクに対して特に好ましいものであるが、本発明は、これらの染料に限定されるものではない。
　【００１６】
　また、顔料としては、カーボンブラックの他、多くの無機顔料、有機顔料が使用できる。例えば、アゾレーキ、不溶性アゾ顔料、縮合アゾ顔料、キレートアゾ顔料などのアゾ顔料や、フタロシアニン顔料、ペリレン及びペリノン顔料、アントラキノン顔料、キナクリドン顔料、ジオキサジン顔料、チオインジゴ顔料、イソインドリノン顔料、キノフタロン顔料などの多環式顔料や、塩基性染料型レーキ、酸性染料型レーキなどの染料レーキや、ニトロ顔料、ニトロソ顔料、アニリンブラック昼光蛍光顔料などの有機顔料、酸化チタン、酸化鉄系、カーボンブラック系等の無機顔料を挙げることができる。また、その他の顔料であっても水相に分散可能なものであれば使用できる。さらに、上記顔料を界面活性剤や高分子分散剤等で表面処理したもの、例えばグラフトカーボン等も使用可能である。
　【００１７】
　上記の顔料例は、本発明のインクに対して特に好ましいものであるが、本発明は、これらの顔料に限定されるものではない。
　【００１８】
　上記顔料を本発明の着色剤として使用する場合、適当な分散剤、溶剤、純水及び必要に応じて他の添加剤とともに、従来知られている方法により分散処理される。
　【００１９】
　分散剤としては、例えば特開昭６２−１０１６７２号公報に記載されている顔料分散に用いられる高分子分散剤や界面活性剤が使用でき、高分子分散剤としては、ゼラチン、アルブミン等の蛋白質、アラビアゴム、トラガントゴム等の天然ゴム類、サポニン等のグルコシド類、メチルセルロース、カルボキシセルロース、ヒドロキシメチルセルロース等のセルロース誘導体、リグニンスルホン酸塩、セラック等の天然高分子、ポリアクリル酸塩、スチレン−アクリル酸共重合物の塩、ビニルナフタレン−アクリル酸共重合物の塩、スチレン−マレイン酸共重合物の塩、ビニルナフタレン−マレイン酸共重合物の塩、β−ナフタレンスルホン酸ホリマリン縮合物のナトリウム塩、リン酸塩等の陰イオン性高分子やポリビニルアルコール、ポリビニルピロリドン、ポリエチレングリコール等の非イオン性高分子等の高分子分散剤、界面活性剤としては、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ソルビタンアルキルエステル類、ポリオキシエチレンソルビタンアルキルエステル類等の非イオン性界面活性剤があり、これらの１種または２種以上を適宜選択して使用できる。その使用量は、一般的にインク全量に対して１〜２０重量％が望ましい。
　【００２０】
　一方、上記顔料の分散に用いる分散機は、一般的な分散機ならどんなものでもよいが、例えば、ボールミル、ロールミル、サンドミル等が挙げられる。その中でも特に高速型のサンドミルが好ましい。
　【００２１】
　前記染料及び顔料は、それぞれ単独で用いてもよいし、染料同士、顔料同士、また、染料と顔料を２種以上混合して用いることも可能である。
　【００２２】
　また、前記染料及び顔料は、本発明のインクに対して一般に０．１〜２０重量％の割合で用いられ、望ましくは０．３〜１５重量％の範囲で用いられる。
　【００２３】
　本発明の及び本発明に用いるインクに使用する多価アルコールは、インクの乾燥防止（湿潤）効果を有することによりインクの液安定性を向上させ得るものが好適に使用される。
　【００２４】
　例えば、ポリエチレングリコール、ポリプロピレングリコール等のポリアルキレングリコール類；エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール、ヘキシレングリコール等のアルキレングリコール類；グリセリン等が挙げられる。
　【００２５】
　インク中の上記多価アルコールの含有量は、インク全量に対して重量％で５〜５０重量％、好ましくは７〜４０重量％、より好ましくは１０〜３０重量％である。もし、５重量％未満であると、湿潤作用が不十分となり、目詰まり等の問題が生じる。また、５０重量％を越えると、インクが必要以上に増粘し、吐出不能となったり、記録紙上での乾燥が極端に遅くなる等の問題を生じる。
　【００２６】
　本発明の及び本発明に用いるインクに使用する２０℃での蒸気圧が０．１ｍｍＨｇ以下の多価アルコールモノアルキルエーテルは、記録紙へのインク浸透速度を効果的に速めることにより、インクの紙面上での速乾性を向上させ、記録紙上での遅乾性に起因するブリーディングを防止し、且つ、浸透に伴うフェザリングを起こし難いものが好適に使用される。
　【００２７】
　上記多価アルコールモノアルキルエーテルの具体例としては、例えば、ジエチレングリコールモノメチルエーテル（２０℃での蒸気圧０．１ｍｍＨｇ）、ジエチレングリコールモノブチルエーテル（２０℃での蒸気圧０．０１ｍｍＨｇ）、ジエチレングリコールモノイソブチルエーテル（２０℃での蒸気圧０．０１ｍｍＨｇ）、ジプロピレングリコールモノメチルエーテル（２０℃での蒸気圧０．０６ｍｍＨｇ）、ジプロピレングリコールモノプロピルエーテル（２０℃での蒸気圧０．０２ｍｍＨｇ）、ジプロピレングリコールモノイソプロピルエーテル（２０℃での蒸気圧０．０５ｍｍＨｇ）、ジプロピレングリコールモノブチルエーテル（２０℃での蒸気圧０．０５ｍｍＨｇ）、トリエチレングリコールモノメチルエーテル（２０℃での蒸気圧０．０１ｍｍＨｇ未満）、トリエチレングリコールモノブチルエーテル（２０℃での蒸気圧０．０１ｍｍＨｇ未満）、トリプロピレングリコールモノメチルエーテル（２０℃での蒸気圧０．０２ｍｍＨｇ）、トリプロピレングリコールモノブチルエーテル（２０℃での蒸気圧０．０１ｍｍＨｇ未満）等が挙げられる。
　【００２８】
　一般的な多価アルコールアルキルエーテルは独特の臭気を有しており、その蒸気圧が２０℃で０．１ｍｍＨｇより高いものをインクに用いると、インク自体も高臭気性となり、一般オフィス、家庭で使用するには大きな問題となる。しかしながら、上記に例示した多価アルコールモノアルキルエーテルは２０℃での蒸気圧が０．１ｍｍＨｇ以下と低く、インクに使用しても低臭気性であり、前述の問題はない。
　【００２９】
　さらに、上記多価アルコールアルキルエーテルの中でも、２０℃での蒸気圧が０．０１ｍｍＨｇ未満のものは、特に臭気が少なく、好適に使用することができる。
　【００３０】
　インク中の上記多価アルコールアルキルエーテルの含有量は、インク全量に対して重量％で５〜１５重量％が好ましい。もし、５重量％未満であると、インクの記録紙への浸透速度が遅く、乾燥時間、ブリーディングに問題を生じる。また、１５重量％を越えると、インクの記録紙への浸透が激しくなり、記録紙の裏までインクが達してしまったり、フェザリングにも問題を生じる。
　【００３１】
　また、本発明に使用する水は、一般の水ではなく、イオン交換水、蒸留水等の純度の高いものを使用することが好ましい。
　【００３２】
　この時の水の含有量は、上記多価アルコール、及び多価アルコールモノアルキルエーテルの種類、その組成あるいは所望されるインクの特性に依存して広い範囲で決定されるが、インクの全重量に対して一般に１０〜９０重量％、好ましくは１０〜７５重量％、より好ましくは２０〜７０重量％の範囲内とされる。
　【００３３】
　本発明の及び本発明に使用するインクの基本構成は以上の通りであるが、その他従来公知の各種分散剤、界面活性剤、粘度調整剤、表面張力調整剤、ｐＨ調整剤、防腐防カビ剤等を必要に応じて添加することができる。
　【００３４】
　また、記録液を帯電させるタイプのインクジェット記録方法に使用されるインクを調合する場合には、塩化リチウム、塩化アンモニウム、塩化ナトリウム等の無機塩類等の比抵抗調整剤が添加される。
　【００３５】
　尚、熱エネルギーの作用によってインクを吐出させるタイプのインクジェット方式に適用する場合には、熱的な物性値（例えば比熱、熱膨張係数、熱電導率等）が調整されることもある。
　【００３６】
　以上のようにして得られる本発明で使用するインクは、従来技術の問題点が十分に解決されており、インクジェット方式における記録特性（信号応答性、液滴形成の安定性、吐出安定性、長時間の連続記録性、長時間の動作休止後のインク吐出安定性）、液安定性、保存安定性、被記録材への定着性、速乾性、印字品質特性、低臭気性等いずれもバランスのとれた優れたものであり、各種の方式のインクジェット記録用のインクとして有用であり、優れた記録を与えることができる。
　【００３７】
　【実施例】
　以下、本発明を具体化した実施例について説明する。
　【００３８】
　尚、文中％とあるのは重量基準である。
　【００３９】
＜実施例１＞
液組成
アシッドイエロー２３（アシッドイエロー　ＸＸ‐ＳＦ：ヘキスト社製）　１％
ポリエチレングリコール（平均分子量２００）　１０％
トリエチレングリコールモノメチルエーテル　６％
純水　８３％
　上記各材料を十分に混合攪拌した後、０．８μｍのメンブランフィルタで濾過してインクとした。
　【００４０】
　このインクを用いて、記録ヘッド内のインクに熱エネルギーを与えて液滴を発生させ、記録を行うオンデマンドタイプのマルチヘッド（吐出オリフィス径３５μｍ、発熱抵抗体抵抗値１５０オーム、駆動電圧３０ボルト、周波数２ＫＨｚ）を有する記録装置、及び記録ヘッド内のインクにピエゾ素子振動による圧力を与えて液滴を発生させ、記録を行うオンデマンドタイプのマルチヘッド（吐出オリフィス径４０μｍ、駆動電圧３０ボルト、周波数１０ＫＨｚ）を有する記録装置により、以下のＴ１〜Ｔ６の検討を行ったところ、いずれにおいても良好な結果を得た。また、調製したインクについて、以下のＴ７の検討を行ったところ、いずれにおいても良好な結果となった。
　【００４１】
（Ｔ１）保存安定性；インクをプラスチックフィルムの袋に密閉し、−３０℃と６０℃で６カ月間保存した後でも不溶分の析出は認められず、液の物性や色調にも変化はなかった。
　【００４２】
（Ｔ２）吐出安定性；室温、５℃、４０℃の雰囲気下でそれぞれ２４時間の連続吐出を行ったが、いずれの条件でも終始安定した高品質の記録が行えた。
　【００４３】
（Ｔ３）吐出応答性；２秒間の間欠吐出と２カ月間放置後の吐出について調べたが、いずれの場合にもオリフィス先端での目詰まりはなく、安定で均一に記録された。
　【００４４】
（Ｔ４）記録画像の品質；以下に示す被記録材に記録された画像は、濃度が高く鮮明であった。
　【００４５】
被記録材；ゼロックス社製上質紙「ゼロックス４０２４」
北越製紙（株）製上質紙「セブンスター」
本州製紙（株）製中質紙「白牡丹」
東洋濾紙（株）製ノンサイズ紙「東洋濾紙Ｎｏ４」。
　【００４６】
（Ｔ５）各種被記録材に対する定着性、速乾性；上記（Ｔ４）に示した被記録材に印字５秒後、印字部を指で擦り、画像ずれ、滲みの有無を判定した結果、いずれも画像ずれ、滲み等がなく、優れた定着性を示した。
　【００４７】
（Ｔ６）各種被記録材での印字品質特性；上記（Ｔ４）に示した被記録材に記録された文字、画像の印字品質特性を確認したところ、フェザリング、ブリーディング共に良好であった。
　【００４８】
（Ｔ７）低臭気性；インク１００ｇを１００ｍｌガラス製ビーカーに計り取り、その臭気を確認した結果、ほとんど無臭であった。
　【００４９】
＜実施例２＞
　実施例１と同様の方法により下記の液組成を用いてインクを調製し、ぞれぞれについて実施例１と同様にＴ１〜Ｔ７の検討を行った。これらはいずれも実施例１と同様に優れた結果を示した。
　【００５０】
液組成
アシッドブルー９（アシッドブルー　ＡＥ‐ＳＦ：ヘキスト社製）　２％
ジエチレングリコール　３０％
トリエチレングリコールモノブチルエーテル　１２％
純水　５６％。
　【００５１】
＜実施例３、４＞
　実施例１と同様の方法により下記の液組成を用いてインクを調製し、ぞれぞれについて実施例１と同様にＴ１〜Ｔ７の検討を行った。これらのうち、Ｔ１〜Ｔ６はいずれも実施例１と同様に優れた結果を示した。また、Ｔ７についてもほとんど気にならない程度の臭気であった。
　【００５２】
実施例３　アシッドレッド５２（アシッドローダミン　Ｂ‐ＳＦ：ヘキスト社製）　１％
トリプロピレングリコール　４５％
ジプロピレングリコールモノメチルエーテル　５％
純水　４９％。
　【００５３】
実施例４　ダイレクトブラック１６８
（ダイレクトブラック　ＨＥＦ‐ＳＦ：ヘキスト社製）　３％
グリセリン　２５％
トリプロピレングリコールモノメチルエーテル　７％
純水　６５％。
　【００５４】
＜実施例５＞
　顔料カーボンブラックと１００倍量の純水とを１時間攪拌し、濾過することを３回行った後、乾燥した。これを用いて下記組成の液組成物を調製し、パールミル（商品名、アシザワ（株）製）にて分散処理を行い、分散液を得た。
　【００５５】
　尚、ミルに充填する粉砕メディアとしては、ジルコニアを用いた。また、分散装置の接液部はセラミック加工されたものを使用した。
　【００５６】
液組成
カーボンブラック（ＭＡ−７、三菱化学製）　１０％
スチレン−無水マレイン酸共重合体（分子量１万、酸価１７５）　７％
グリセリン　２５％
トリプロピレングリコールモノブチルエーテル　５％
純水　５３％
　次にこの分散液を遠心分離機にかけて粗大粒子を除去し、次にこの分散液を平均孔径１μｍのメンブランフィルタにて加圧濾過してインクとした。このインクについて、実施例１と同様にＴ１〜Ｔ７の検討を行ったが、実施例１と同様に優れた結果を示した。
　【００５７】
＜比較例１＞
　以下に示す液組成を用いて、実施例１と同様の調製方法によってインクとした。調製したインクについて実施例１と同様にＴ１〜Ｔ７の検討を行った結果、Ｔ１〜Ｔ６においては良好な結果が得られたが、Ｔ７においては、耐え難い刺激臭が確認された。
　【００５８】
液組成
アシッドイエロー２３（アシッドイエロー　ＸＸ‐ＳＦ：ヘキスト社製）　１％
ポリエチレングリコール（平均分子量２００）　１０％
エチレングリコールモノメチルエーテル
（２０℃での蒸気圧６．２ｍｍＨｇ）　６％
純水　８３％。
　【００５９】
＜比較例２＞
　以下に示す液組成を用いて、実施例１と同様の調製方法によってインクとした。
　【００６０】
　調製したインクについて実施例１と同様にＴ１〜Ｔ７の検討を行った結果、Ｔ１〜Ｔ４、Ｔ７においては良好な結果が得られたが、Ｔ５においては、インクの浸透が遅く、指で擦ると画像が滲む結果となった。また、Ｔ６においては、フェザリングは良好であったが、ひどいブリーディングが観察された。
　【００６１】
液組成
アシッドブルー９（アシッドブルー　ＡＥ‐ＳＦ：ヘキスト社製）　２％
ジエチレングリコール　３０％
トリエチレングリコールモノメチルエーテル　１％
純水　６７％。
　【００６２】
＜比較例３＞
　以下に示す液組成を用いて、実施例１と同様の調製方法によってインクとした。
　【００６３】
　調製したインクについて実施例１と同様にＴ１〜Ｔ７の検討を行った結果、Ｔ４〜Ｔ７では良好な結果が得られたが、Ｔ１においては、液の物性、色調に変化が生じた。また、Ｔ２においては、室温、５℃、４０℃のいずれの雰囲気下でも吐出が安定せず、記録物の品質は不良であった。また、Ｔ３においては、２秒間の間欠吐出と２カ月間放置後の吐出いずれの場合にもオリフィス先端での目詰まりとジェット曲がりが頻繁に発生した。
　【００６４】
液組成
アシッドイエロー２３（アシッドイエロー　ＸＸ‐ＳＦ：ヘキスト社製）　１％
ポリエチレングリコール（平均分子量２００）　１％
トリエチレングリコールモノメチルエーテル　６％
純水　９２％。
　【００６５】
＜比較例４＞
　以下に示す液組成を用いて、実施例１と同様の調製方法によってインクとした。
　【００６６】
　調製したインクについて実施例１と同様にＴ１〜Ｔ７の検討を行った結果、Ｔ１〜Ｔ５、Ｔ７においては良好な結果が得られたが、Ｔ６において、ブリーディングは良好であったが、ひどいフェザリングが観察された。また、記録物の裏面を確認したところ、インクが裏面にまで達していた。
　【００６７】
液組成
アシッドイエロー２３（アシッドイエロー　ＸＸ‐ＳＦ：ヘキスト社製）　１％
ポリエチレングリコール（平均分子量２００）　１０％
トリエチレングリコールモノメチルエーテル　３０％
純水　５９％。
　【００６８】
＜比較例５＞
　以下に示す液組成を用いて、実施例１と同様の調製方法によってインクとした。調製したインクについて実施例１に示した２種類の記録装置により記録を試みたが、インクが吐出せず、印字不可能であった。
　【００６９】
液組成
アシッドイエロー２３（アシッドイエロー　ＸＸ‐ＳＦ：ヘキスト社製）　１％
グリセリン　７０％
トリエチレングリコールモノメチルエーテル　６％
純水　２３％。
　【００７０】
　【発明の効果】
　以上説明したことから明かなように本発明によれば、水性インクは、２０℃における蒸気圧が
０．０１ｍｍＨｇ未満
ブチル
いるため、